(57)【要約】【課題】両面垂直磁気記録媒体の両面に形成された第１磁性膜及び第２磁性膜を同時に初期化する媒体初期化方法、媒体信号転写方法、媒体信号処理装置及び両面垂直磁気記録媒体を提供する。【解決手段】基板１０の表面に交差する方向（垂直な方向）において外部磁界である初期化磁界Ｈｉを印加して媒体１の初期化を行うので、第１磁性膜１１及び第２磁性膜１２を同時に初期化でき、第１磁性膜１１における初期化磁化Ｈ１ｉ及び第２磁性膜１２における初期化磁化Ｈ２ｉの磁化方向は基板１０と交差する方向において同一になる。【選択図】図１
2006024362.tif 000002
【特許請求の範囲】
【請求項１】
基板と、該基板の第１表面に形成された第１磁性膜と、前記第１表面とは反対側の第２表面に形成された第２磁性膜とを備えた両面垂直磁気記録媒体を初期化する磁気記録媒体初期化方法において、
前記基板の表面と交差する方向に初期化磁界を印加して前記第１磁性膜及び第２磁性膜を同時に初期化し、第１磁性膜及び第２磁性膜における初期化磁化の方向を前記交差方向において同一にすることを特徴とする磁気記録媒体初期化方法。
【請求項２】
前記両面垂直磁気記録媒体を複数枚重畳して配置した後、該重畳方向に前記初期化磁界を印加して複数枚の両面垂直磁気記録媒体を同時に初期化することを特徴とする請求項１記載の磁気記録媒体初期化方法。
【請求項３】
基板と、該基板の第１表面に形成された第１磁性膜と、前記第１表面とは反対側の第２表面に形成された第２磁性膜とを備えた両面垂直磁気記録媒体へ転写すべき信号パターンを転写する磁気記録媒体信号転写方法において、
転写すべき信号パターンに応じて磁性体領域を配置した第１マスタ媒体を前記第１磁性膜に接触又は近接させて重畳配置し、転写すべき信号パターンに応じて磁性体領域を配置した第２マスタ媒体を前記第２磁性膜に接触又は近接させて重畳配置する過程と、前記第１マスタ媒体、両面垂直磁気記録媒体及び第２マスタ媒体と交差する方向に転写用磁界を印加することにより、前記第１マスタ媒体の信号パターンを第１磁性膜へ、前記第２マスタ媒体の信号パターンを第２磁性膜へ各々転写する過程とを備えることを特徴とする磁気記録媒体信号転写方法。
【請求項４】
前記両面垂直磁気記録媒体は、前記第１磁性膜及び第２磁性膜における初期化磁化の方向を前記基板表面と交差する方向において同一にする初期化を予めされていることを特徴とする請求項３記載の磁気記録媒体信号転写方法。
【請求項５】
前記磁性体領域は、軟磁性体又は垂直強磁性体により形成されることを特徴とする請求項３又は４に記載の磁気記録媒体信号転写方法。
【請求項６】
前記第１マスタ媒体が有する信号パターンと前記第２マスタ媒体が有する信号パターンとは、互いに鏡像関係を有することを特徴とする請求項３乃至５のいずれかに記載の磁気記録媒体信号転写方法。
【請求項７】
前記転写すべき信号パターンは、前記両面垂直磁気記録媒体におけるプリフォーマット信号の信号パターンであることを特徴とする請求項３乃至６のいずれかに記載の磁気記録媒体信号転写方法。
【請求項８】
両面垂直磁気記録媒体の基板の表面に各々形成された第１磁性膜及び第２磁性膜へ信号を書込む信号書込み手段と、前記第１磁性膜及び第２磁性膜の信号を読出す信号読出し手段との内少なくとも一方の手段を備える磁気記録媒体信号処理装置において、
前記第１磁性膜及び第２磁性膜における初期化磁化の方向は基板の表面と交差する方向において同一にしてあり、
前記信号書込み手段は前記第１磁性膜への書込み信号及び第２磁性膜への書込み信号の内いずれか一方の書込み信号の極性を反転させる極性反転回路を備え、前記信号読出し手段は前記第１磁性膜からの読出し信号及び第２磁性膜からの読出し信号の内いずれか一方の読出し信号の極性を反転させる極性反転回路を備えることを特徴とする磁気記録媒体信号処理装置。
【請求項９】
基板と、該基板の第１表面に形成された第１磁性膜と、前記第１表面とは反対側の第２表面に形成された第２磁性膜とを備えた両面垂直磁気記録媒体において、
前記第１磁性膜における初期化磁化の方向と第２磁性膜における初期化磁化の方向とは前記基板の表面と交差する方向において同一にしてあることを特徴とする両面垂直磁気記録媒体。
【発明の詳細な説明】
【技術分野】
【０００１】
本発明は、磁気記録媒体初期化方法、磁気記録媒体信号転写方法、磁気記録媒体信号処理装置及び両面垂直磁気記録媒体に関する。
【背景技術】
【０００２】
情報を基板の両面に形成した各磁性膜に垂直磁化として記録する両面垂直磁気記録媒体（以下、単に「媒体」ともいう）が知られている。このような媒体は例えばハードディスクのような大容量の記録装置に用いられている。
図７は従来の媒体の磁化状況を示す説明図であり、（ａ）は媒体の初期化における磁化状況を示し、（ｂ）は媒体の信号記録時における磁化状況を示す。同図において、１は媒体であり、基板１０、第１磁性膜１１、第２磁性膜１２により構成される。基板１０は表面が平坦な非磁性体であり、例えばガラス基板、ポリカーボネイト等の合成樹脂基板、アルミニウム等の金属基板、シリコン基板、カーボン基板等が用いられる。第１磁性膜１１は基板１０の第１表面に形成され、第２磁性膜１２は基板１０の第１表面とは反対側の第２表面に形成される。第１磁性膜１１、第２磁性膜１２は、例えばＴｂＦｅＣｏ、ＴｂＦｅ、ＴｂＣｏ、ＧｄＦｅＣｏ、ＤｙＦｅＣｏ、ＦｅＰｔ、Ｃｏ／Ｆｅ、Ｃｏ／Ｐｄ等種々の磁性体材料により形成される。なお、第１磁性膜１１、第２磁性膜１２は、基板１０の垂直方向に磁化方向を示す垂直磁気異方性を有する。
【０００３】
同図（ａ）において、矢符Ｈ１ｉ、Ｈ２ｉは各々第１磁性膜１１、第２磁性膜１２を初期化した状態での磁化、つまり初期化磁化を示す。矢羽根印Ｈ１、Ｈ２は各々第１磁性膜１１、第２磁性膜１２の各表面における表面磁化方向を、媒体１の外部から表面を見た場合について示す。初期化磁化Ｈ１ｉ、Ｈ２ｉの磁化方向は、媒体１の外部から内部へ向う基板１０の表面に交差する方向（垂直な方向）であり、媒体１の外部から媒体１の表面を見る場合は表面磁化方向Ｈ１、Ｈ２で示すように同一方向である。つまり、基板１０の表面に垂直な方向においては、第１磁性膜１１の初期化磁化Ｈ１ｉと第２磁性膜１２の初期化磁化Ｈ２ｉとは逆方向となる。
【０００４】
同図（ｂ）において、白抜き矢符Ｈ１ｍ、Ｈ２ｍは各々第１磁性膜１１、第２磁性膜１２へ信号（以下、マークともいう）を記録した状態（マーク磁化Ｈ１ｍ、Ｈ２ｍ）を示す。つまり、マーク磁化Ｈ１ｍ、Ｈ２ｍは初期化磁化Ｈ１ｉ、Ｈ２ｉとは逆方向に磁化することによりマークを記録した状態を示す。表面磁化方向Ｈ１、Ｈ２においてもマーク磁化Ｈ１ｍ、Ｈ２ｍは初期化磁化Ｈ１ｉ、Ｈ２ｉに対し逆方向になる。
【０００５】
図８は従来の媒体の初期化方法を示す説明図である。図７と同一部分には同一符号を付して、説明は省略する。図において、磁石ＭＧは対面する磁性膜のみを磁化する磁力線ＭＬを発生する。磁石ＭＧを媒体１の表面を矢符Ａの方向に走査させることにより、磁力線ＭＬにより第１磁性膜１１、第２磁性膜１２を各々個別に初期化し、初期化磁化Ｈ１ｉ、Ｈ２ｉを第１磁性膜１１、第２磁性膜１２に各々形成する。図においては、第２磁性膜１２の初期化を終了して初期化磁化Ｈ２ｉを形成し、次いで第１磁性膜１１の初期化をして初期化磁化Ｈ１ｉを形成している途中の状態を示す。このような初期化方法により、初期化磁化Ｈ１ｉ、Ｈ２ｉは基板１０の垂直方向において反対方向を向くように形成される。このような従来の初期化方法では、媒体１は第１磁性膜１１、第２磁性膜１２を各々個別に初期化することから、初期化に多大の時間を必要とする。なお、初期化磁化Ｈ１ｉ、Ｈ２ｉは方向が異なるのみで、大きさは同一に形成される。
【発明の開示】
【発明が解決しようとする課題】
【０００６】
上述したとおり、従来の媒体では、初期化に多大な時間を必要とし、容易に初期化できないという問題があった。
【０００７】
本発明は斯かる事情に鑑みなされたものであり、その目的とするところは、基板の両表面に磁性膜を備える両面垂直磁気記録媒体の基板表面と交差する方向に初期化磁界を印加することにより、両表面の磁性膜を同時に初期化して、各磁性膜における初期化磁化の方向を基板表面と交差する方向において同一にする磁気記録媒体初期化方法を提供することにある。
【０００８】
本発明の他の目的は、複数の両面垂直磁気記録媒体を重ねて、この重畳方向に初期化磁界を印加することにより、複数の媒体を同時に初期化することができる磁気記録媒体初期化方法を提供することにある。
【０００９】
本発明の他の目的は、第１マスタ媒体、第１磁性膜及び第２磁性膜を有する両面垂直磁気記録媒体（スレーブ媒体）及び第２マスタ媒体を重畳し、これらと交差する方向に転写用磁界を印加することにより、第１マスタ媒体の信号パターンを第１磁性膜へ、第２マスタ媒体の信号パターンを第２磁性膜へ各々転写することによりスレーブ媒体への信号パターン（例えばプリフォーマ信号等）の転写を簡単かつ正確にすることができる磁気記録媒体信号転写方法を提供することにある。
【００１０】
本発明の他の目的は、基板の両表面に形成された磁性膜における初期化磁化の方向を基板の表面と交差する方向において同一にしてある両面垂直磁気記録媒体へ容易に信号を書込むことができ、また容易に信号を読出すことができる磁気記録媒体信号処理装置を提供することにある。
【００１１】
本発明の他の目的は、両面垂直磁気記録媒体の両表面に各々形成した各磁性膜の初期化磁化の方向を媒体の垂直方向において同一にした両面垂直磁気記録媒体を提供することにある。
【課題を解決するための手段】
【００１２】
第１発明に係る磁気記録媒体初期化方法は、基板と、該基板の第１表面に形成された第１磁性膜と、前記第１表面とは反対側の第２表面に形成された第２磁性膜とを備えた両面垂直磁気記録媒体を初期化する磁気記録媒体初期化方法において、前記基板の表面と交差する方向に初期化磁界を印加して前記第１磁性膜及び第２磁性膜を同時に初期化し、第１磁性膜及び第２磁性膜における初期化磁化の方向を前記交差方向において同一にすることを特徴とする。
【００１３】
第２発明に係る磁気記録媒体初期化方法は、第１発明において、前記両面垂直磁気記録媒体を複数枚重畳して配置した後、該重畳方向に前記初期化磁界を印加して複数枚の両面垂直磁気記録媒体を同時に初期化することを特徴とする。
【００１４】
第３発明に係る磁気記録媒体信号転写方法は、基板と、該基板の第１表面に形成された第１磁性膜と、前記第１表面とは反対側の第２表面に形成された第２磁性膜とを備えた両面垂直磁気記録媒体へ転写すべき信号パターンを転写する磁気記録媒体信号転写方法において、転写すべき信号パターンに応じて磁性体領域を配置した第１マスタ媒体を前記第１磁性膜に接触又は近接させて重畳配置し、転写すべき信号パターンに応じて磁性体領域を配置した第２マスタ媒体を前記第２磁性膜に接触又は近接させて重畳配置する過程と、前記第１マスタ媒体、両面垂直磁気記録媒体及び第２マスタ媒体と交差する方向に転写用磁界を印加することにより、前記第１マスタ媒体の信号パターンを第１磁性膜へ、前記第２マスタ媒体の信号パターンを第２磁性膜へ各々転写する過程とを備えることを特徴とする。
【００１５】
第４発明に係る磁気記録媒体信号転写方法は、第３発明において、前記両面垂直磁気記録媒体は、前記第１磁性膜及び第２磁性膜における初期化磁化の方向を前記基板表面と交差する方向において同一にする初期化を予めされていることを特徴とする。
【００１６】
第５発明に係る磁気記録媒体信号転写方法は、第３発明又は第４発明において、前記磁性体領域は、軟磁性体又は垂直強磁性体により形成されることを特徴とする。
【００１７】
第６発明に係る磁気記録媒体信号転写方法は、第３発明乃至第５発明のいずれかにおいて、前記第１マスタ媒体が有する信号パターンと前記第２マスタ媒体が有する信号パターンとは、互いに鏡像関係を有することを特徴とする。
【００１８】
第７発明に係る磁気記録媒体信号転写方法は、第３発明乃至第６発明のいずれかにおいて、前記転写すべき信号パターンは、前記両面垂直磁気記録媒体におけるプリフォーマット信号の信号パターンであることを特徴とする。
【００１９】
第８発明に係る磁気記録媒体信号処理装置は、両面垂直磁気記録媒体の基板の表面に各々形成された第１磁性膜及び第２磁性膜へ信号を書込む信号書込み手段と、前記第１磁性膜及び第２磁性膜の信号を読出す信号読出し手段との内少なくとも一方の手段を備える磁気記録媒体信号処理装置において、前記第１磁性膜及び第２磁性膜における初期化磁化の方向は基板の表面と交差する方向において同一にしてあり、前記信号書込み手段は前記第１磁性膜への書込み信号及び第２磁性膜への書込み信号の内いずれか一方の書込み信号の極性を反転させる極性反転回路を備え、前記信号読出し手段は前記第１磁性膜からの読出し信号及び第２磁性膜からの読出し信号の内いずれか一方の読出し信号の極性を反転させる極性反転回路を備えることを特徴とする。
【００２０】
第９発明に係る両面垂直磁気記録媒体は、基板と、該基板の第１表面に形成された第１磁性膜と、前記第１表面とは反対側の第２表面に形成された第２磁性膜とを備えた両面垂直磁気記録媒体において、前記第１磁性膜における初期化磁化の方向と第２磁性膜における初期化磁化の方向とは前記基板の表面と交差する方向において同一にしてあることを特徴とする。
【００２１】
第１発明においては、基板表面と交差する方向に初期化磁界を印加して第１磁性膜及び第２磁性膜における初期化磁化の方向を交差方向において同一とするので、第１磁性膜及び第２磁性膜の初期化を同時にでき、両面垂直磁気記録媒体の初期化を容易にすることができ、初期化時間を短縮できる。
【００２２】
第２発明においては、複数の両面垂直磁気記録媒体を重畳して配置した後、重畳方向に初期化磁界を印加して複数の媒体を同時に初期化することとしたので、両面垂直磁気記録媒体の初期化を容易にすることができ、初期化時間を大幅に短縮できる。
【００２３】
第３発明乃至第７発明においては、両面垂直磁気記録媒体（スレーブ媒体）の第１磁性膜に対向させて第１マスタ媒体を、第２磁性膜に対向させて第２マスタ媒体を重畳配置して、スレーブ媒体の表面と交差する方向に転写用磁界を印加することにより、第１マスタ媒体の信号パターン（マークパターン）を第１磁性膜へ、第２マスタ媒体の信号パターン（マークパターン）を第２磁性膜へ各々同時に転写することとしたので、マスタ媒体からスレーブ媒体への信号の転写が容易、確実にできる。
【００２４】
第８発明においては、信号読出し手段は第１磁性膜及び第２磁性膜から読み出した信号の内いずれか一方の信号の極性を反転させる極性反転回路を備え、信号書込み手段は第１磁性膜及び第２磁性膜への書込み信号の内いずれか一方の書込み信号の極性を反転させる極性反転回路を備えることとしたので、第１磁性膜及び第２磁性膜における初期化磁化の方向を基板と交差する方向において同一にしてある両面垂直磁気記録媒体の信号の書込み、読み出しが簡単かつ正確にできる。
【００２５】
第９発明においては、第１磁性膜における初期化磁化の方向と第２磁性膜における初期化磁化の方向とを基板と交差する方向において同一としたので、初期化に要する時間、労力を軽減できる。
【発明の効果】
【００２６】
第１発明にあっては、両面垂直磁気記録媒体の第１磁性膜及び第２磁性膜の初期化磁化を基板と交差する方向において同一方向とする初期化を行うので、第１磁性膜及び第２磁性膜の初期化を同時にでき、両面垂直磁気記録媒体の初期化を容易確実にでき初期化時間を短縮でき、媒体初期化の効率を向上できる。
【００２７】
第２発明にあっては、基板表面に第１磁性膜及び第２磁性膜を備えた両面垂直磁気記録媒体を複数枚重畳して配置した後、重畳方向に初期化磁界を印加して複数媒体を同時に初期化することとしたので、媒体の初期化時間を短縮でき、媒体初期化の効率を大幅に向上できる。
【００２８】
第３発明乃至第７発明にあっては、両面垂直磁気記録媒体（スレーブ媒体）の第１磁性膜に第１マスタ媒体を、スレーブ媒体の第２磁性膜第２マスタ媒体を各々対向させて配置し、スレーブ媒体と垂直方向に転写用磁界を印加するので、マスタ媒体からスレーブ媒体への信号の転写が容易、確実にできる。
【００２９】
第８発明にあっては、基板の両面に形成された第１磁性膜及び第２磁性膜を備える両面垂直磁気記録媒体の信号磁化を処理する磁気記録媒体信号処理装置において、信号書込み手段、信号読出し手段のいずれにおいても第１磁性膜の信号及び第２磁性膜の信号の内いずれか一方の信号の極性を反転できる極性反転回路を備えることとするので、信号磁化の方向を媒体の垂直方向において同一にした媒体に対する信号の書込み又は読み出しが簡単かつ正確にできる。
【００３０】
第９発明にあっては、基板の第１表面に形成された第１磁性膜における初期化磁化と基板の第２表面に形成された第２磁性膜における初期化磁化との磁化方向を基板の垂直方向において同一としたので、初期化に要する時間、労力を軽減でき、低コスト化した媒体とすることが可能となる。
【発明を実施するための最良の形態】
【００３１】
以下本発明をその実施の形態を示す図面に基づいて詳述する。
＜実施の形態１＞
図１は本発明に係る媒体初期化方法及び磁化状況を示す説明図である。同図（ａ）は媒体初期化時における磁化状況を示し、（ｂ）は媒体の信号記録時における磁化状況を参考に示す。図において、１は媒体であり、基板１０、第１磁性膜１１、第２磁性膜１２により構成される。基板１０は表面が平坦な非磁性体であり、従来技術と同様な材料が用いられ、厚さは例えば数１００μｍから１ｍｍ程度である。第１磁性膜１１は基板１０の第１表面に形成され、第２磁性膜１２は基板１０の第１表面とは反対側の第２表面に形成される。第１磁性膜１１、第２磁性膜１２は、従来技術と同様な磁性体材料により形成され、厚さは例えば数ｎｍから数１０ｎｍ程度である。なお、第１磁性膜１１、第２磁性膜１２は、基板１０の垂直方向に磁化方向を示す垂直磁気異方性を有する。
【００３２】
同図（ａ）において、基板１０の表面に交差する方向（垂直な方向）において外部磁界である初期化磁界Ｈｉを印加して媒体１の初期化を行う。初期化磁界Ｈｉは媒体１の表面と交差する方向において媒体１を貫通して印加される。したがって、第１磁性膜１１及び第２磁性膜１２は、基板１０と交差する方向において同一方向に同時に初期化される。矢符Ｈ１ｉ、Ｈ２ｉは各々第１磁性膜１１、第２磁性膜１２が初期化された状態での磁化、つまり初期化磁化を示す。矢羽根印Ｈ１、Ｈ２は各々第１磁性膜１１、第２磁性膜１２の各表面における表面磁化方向を、媒体１の外部から表面を見た場合について示す。初期化磁化Ｈ１ｉの磁化方向は、媒体１の外部から内部へ向う基板１０の表面に垂直な方向である。媒体１の外部から媒体１（第１磁性膜１１）の表面を見る場合には、初期化磁化Ｈ１ｉの磁化方向は、手前から媒体１の背面への方向を向いているから表面磁化方向Ｈ１で示すように「○」に「×」の印で表される。初期化磁化Ｈ２ｉの磁化方向は、媒体１の内部から外部へ向う基板１０の表面に垂直な方向である。媒体１の外部から媒体１（第２磁性膜１２）の表面を見る場合には、初期化磁化Ｈ２ｉの磁化方向は、媒体１の背面から手前への方向を向いているから表面磁化方向Ｈ２で示すように「○」に「・」の印で表される。つまり、媒体１の初期化方法において、第１磁性膜１１の初期化磁化Ｈ１ｉと第２磁性膜１２の初期化磁化Ｈ２ｉとは基板１０の垂直方向において同一方向に同時に形成されるので、初期化に要する時間、労力を軽減できる。
【００３３】
同図（ｂ）において、白抜き矢符Ｈ１ｍ、Ｈ２ｍは各々第１磁性膜１１、第２磁性膜１２へ信号（マーク）を記録した状態（マーク磁化Ｈ１ｍ、Ｈ２ｍ）を示す。つまり、マーク磁化Ｈ１ｍ、Ｈ２ｍは各々初期化磁化Ｈ１ｉ、Ｈ２ｉとは逆方向に磁化することにより信号を記録した状態を示す。表面磁化方向Ｈ１、Ｈ２においてもマーク磁化Ｈ１ｍ、Ｈ２ｍは各々初期化磁化Ｈ１ｉ、Ｈ２ｉに対し逆方向になる。したがって、基板１０の垂直方向においては、第１磁性膜１１のマーク磁化Ｈ１ｍと第２磁性膜１２のマーク磁化Ｈ２ｍとは同一方向となる。
【００３４】
＜実施の形態２＞
図２は本発明に係る媒体初期化方法を示す説明図である。基板１０、第１磁性膜１１、第２磁性膜１２を備えた媒体１を複数枚重ねて、Ｎ極部ＮＰとＳ極部ＳＰとの間に重畳配置する。その後、基板１０の垂直方向（重畳方向）に外部磁界である初期化磁界Ｈｉを印加して、初期化を行う。この方法によれば、重ねた複数枚の媒体１を同時に初期化でき、しかも各媒体１の初期化磁化（Ｈ１ｉ、Ｈ２ｉ）の状態を精度良く均一にできる。したがって、媒体１の初期化を大幅に効率化できる。複数枚の媒体１を同時に初期化する媒体初期化方法が可能となった理由は、基板１０の垂直方向において、第１磁性膜１１の初期化磁化Ｈ１ｉと第２磁性膜１２の初期化磁化Ｈ２ｉとは同一方向となるように初期化するからである。また、基板１０の垂直方向において、第１磁性膜１１における信号の磁化であるマーク磁化Ｈ１ｍ（図１）と第２磁性膜１２における信号の磁化であるマーク磁化Ｈ２ｍ（図１）とについても同様に同一方向とするからである。
【００３５】
＜実施の形態３＞
図３は本発明に係る媒体信号転写方法を示す説明図である。同図（ａ）は媒体の初期化における磁化状況を示し、（ｂ）はマスタ媒体からの信号転写における磁化状況を示し、（ｃ）は信号転写後の媒体の磁化状況を示す。
同図（ａ）は、実施の形態１と同様に初期化された媒体１の磁化状況を示す。第１磁性膜１１には基板１０の垂直方向に初期化磁化Ｈ１ｉが形成され、第２磁性膜１２には基板１０の垂直方向に初期化磁化Ｈ２ｉが形成されている。初期化磁化Ｈ１ｉと初期化磁化Ｈ２ｉとは上述のとおり同一方向とされる。なお、媒体１の初期化を複数枚同時にする場合には、媒体１の作成をより効率的に行うことができる。
【００３６】
次に、初期化した媒体１をスレーブ媒体として、マスタ媒体２１、２２から転写すべき信号パターン（マークパターン）の記録（転写）を行う。同図（ｂ）は、第１磁性膜１１の表面に第１マスタ媒体２１を、第２磁性膜１２の表面に第２マスタ媒体２２を各々対向させ、外部磁界である転写用磁界Ｈｍを印加して初期化した媒体１へ信号を転写する状況を示す。この際、第１磁性膜１１と第１マスタ媒体２１は適宜互いに接触させるか、近接させて磁力線が十分通過するようにする。第２磁性膜１２と第２マスタ媒体２２についても同様にする。第１マスタ媒体２１には基板１０と同様の非磁性体からなる基板２１ｂの表面に書込み転写する信号パターンに対応する転写用磁性体領域２１ｍが媒体１に対向して形成されている。また、第２マスタ媒体２２には第１マスタ媒体２１と同様に基板２２ｂの表面に書込み転写する信号パターンに対応する転写用磁性体領域２２ｍが媒体１に対向して形成されている。即ち、第１マスタ媒体２１、第２マスタ媒体２２共に信号パターン（転写用磁性体領域２１ｍ、２２ｍ）を各々対向する第１磁性膜１１、第２磁性膜１２へ転写する。
【００３７】
転写用磁性体領域２１ｍ、２２ｍは、例えば垂直磁化を有する強磁性体又は軟磁性体により形成されているので転写用磁界Ｈｍによる磁力線が集中的に通ることになり、白抜き矢符で示す転写用磁性体磁化Ｈｍ２１、Ｈｍ２２を各々生じる。転写用磁性体磁化Ｈｍ２１、Ｈｍ２２は、接触又は近接して配置された第１磁性膜１１、第２磁性膜１２に対して磁力線を維持した状態で通過させるので第１磁性膜１１、第２磁性膜１２において白抜き矢符で示すマーク磁化Ｈ１ｍ、Ｈ２ｍを各々形成即ち転写する。転写用磁性体領域２１ｍ、２２ｍを強磁性体又は軟磁性体により形成することにより、磁力線を集中できるので、確実な転写が可能となる。転写用磁性体領域２１ｍ、２２ｍが存在しない領域においては、転写できるだけの磁力線が存在しないので、初期化磁化Ｈ１ｉ、Ｈ２ｉは初期化時のままの磁化を維持する。
【００３８】
転写すべき信号パターンとしては、例えば、磁気ディスクにおけるシリンダ番号、セクタ番号等のトラッキング用サーボ信号、セキュリティー信号等のプリフォーマット信号がある。特にプリフォーマット信号の転写をする場合は、プリフォーマット信号は磁気ディスクの両面において鏡像関係を持たせれば良いことから、第１マスター媒体２１と第２マスタ媒体２２の信号パターンの位置を鏡像にでき、いずれか一方のデータをそのまま鏡像反転して他方のデータとして利用できる。つまり、鏡像関係にあるパターンを各々有するマスタ媒体（第１マスター媒体２１、第２マスタ媒体２２）を用いることができる。ビット密度がさらに高くなり、周囲のマーク（即ち信号）の有無、周囲のマークの大きさ、又は周囲のマークまでの距離によりマスタ媒体上のマーク（転写用磁性体領域２１ｍ、２２ｍ）の大きさを微調整しなければ、正確な転写ができない場合においても、第１マスター媒体２１、第２マスタ媒体２２の内いずれか一方のマスタ媒体の補正データを作成すれば、他方のマスタ媒体については先に求めた補正データの鏡像を補正データとして使用でき、補正データの作成が一度でよくマスタ媒体の作成が簡略化でき容易になる。つまり、媒体信号転写が容易にできる。
【００３９】
同図（ｃ）は信号転写後の媒体の磁化状況を示し、第１磁性膜１１におけるマーク磁化Ｈ１ｍ及び第２磁性膜１２におけるマーク磁化Ｈ２ｍは、基板１０の垂直方向において同一の磁化方向であることを示す。初期化磁化Ｈ１ｉ、Ｈ２ｉは、基板１０の垂直方向において同一の磁化方向でありマーク磁化Ｈ１ｍ、Ｈ２ｍとは逆方向である。
【００４０】
図４は図３の媒体信号転写方法と比較するための他の媒体信号転写方法を示す説明図である。同図（ａ）は媒体の初期化における磁化状況を示し、（ｂ）はマスタ媒体からの信号転写における磁化状況を示し、（ｃ）は信号転写後の媒体の磁化状況を示す。同図（ａ）は、図３（ａ）の場合と同様であり、説明は省略する。
【００４１】
図４（ｂ）は図３（ｂ）の場合と同様であるが、第１マスタ媒体２１は信号パターン（マークパターン）を転写するのに対し、第２マスタ媒体２２はスペースパターン（マークパターン以外の領域）を転写する点が異なる。第１マスタ媒体２１には書込み転写する信号（マーク）に対応して転写用磁性体領域２１ｍが、また、第２マスタ媒体２２には書込み転写するスペースに対応して転写用磁性体領域２２ｓが各々媒体１に対向する面に形成されている。即ち、第１マスタ媒体２１は信号（マーク）を転写し、第２マスタ媒体２２はスペースを転写する場合である。転写用磁性体領域２１ｍ、２２ｓは、例えば強磁性体又は軟磁性体により形成されているので転写用磁界Ｈｍによる磁力線が集中的に通ることになり、転写用磁性体磁化Ｈｍ２１、Ｈｓ２２を各々生じる。転写用磁性体磁化Ｈｍ２１、Ｈｓ２２は、接触又は近接して配置された第１磁性膜１１、第２磁性膜１２に対して磁力線の状態をほぼ維持した状態で通過させるので第１磁性膜１１においてマーク磁化Ｈ１ｍ、第２磁性膜１２においてスペース磁化Ｈ２ｓを各々形成、即ち転写する。
【００４２】
転写用磁性体領域２１ｍ、２２ｓには磁力線を集中させて転写を行うが、特に軟磁性体を用いた場合には、転写領域は狭い方が磁力線密度を維持できることから好ましい。しかし、磁気ディスクにおけるシリンダ番号のようにピットポジション記録の場合、スペースの方がマークより広い面積を占めることから、一面にマークを、他の一面にスペースを転写する方式は、転写領域が広くなり好ましくない。また、マスタ媒体のパターン（転写用磁性体領域２１ｍ、２２ｓの位置、大きさ）が第１マスタ媒体２１と第２マスタ媒体２２とでは異なることから、マークの微調整をする必要が生じた場合において、第１マスタ媒体２１、第２マスタ媒体２２各々について、精細な補正データを作成する必要があり、マスタ媒体の作成が複雑になるので、この方法は図３において示した実施の形態３に比べ好ましくない。
【００４３】
図４（ｃ）は図３（ｃ）の場合と同様であるが、次の点が異なる。第１磁性膜１１の初期化磁化Ｈ１ｉと、これに対応する第２磁性膜１２のスペース磁化Ｈ２ｓとは、基板１０の垂直方向において逆方向となる。同様に、第１磁性膜１１のマーク磁化Ｈ１ｍと、これに対応する第２磁性膜１２の初期化磁化Ｈ２ｉとは、基板１０の垂直方向において逆方向となる。この場合は図４（ｂ）において述べたとおり転写領域が広くなることから好ましくない。
【００４４】
図５は本発明を適用した磁気ディスクにおけるシリンダ番号転写状況を示す説明図である。同図（ａ）はグレイコードで表した場合のコードを媒体の表面におけるパターンとして示し、（ｂ）はシリンダ番号をマークパターン転写する場合のマスタ媒体のマークパターン（信号パターン）を示し、（ｃ）はシリンダ番号をスペースパターン転写する場合のマスタ媒体のスペースパターンを示す。
【００４５】
同図（ａ）において、シリンダ番号０からシリンダ番号７に対応するグレイコードを例示している。シリンダ番号０に対しては「グレイコード０００」（以下「０００」のように記載する）、シリンダ番号１に対しては「００１」、シリンダ番号２に対しては「０１１」、・・・シリンダ番号７に対しては「１００」が適用されている。これを媒体上の信号パターンで示すと、シリンダ番号はピットポジション記録であるから、シリンダ番号パターン３で示すようにマークとスペースを含むパターンとなる。つまり、シリンダ番号パターン３は、信号１に対応するマークパターン３ｍｓ及び信号０に対応する領域を含むマーク領域３ｍと、スペースパターン３ｓとからなる。信号０に対応する領域とスペースパターン３ｓとは磁化の方向は同一であり、転写時には両方を併せてスペースパターン３ｓとして扱うことができる。
【００４６】
同図（ｂ）はシリンダ番号をマークパターン転写（信号パターン転写）する場合であり、転写されるマーク３ｍｓがスペースパターン３ｓより小さい面積であることを示す。同図（ｃ）はシリンダ番号をスペースパターン転写する場合であり、マークパターン３ｍｓの反転領域（スペースパターン３ｓ）がマークパターン３ｍｓより大きい面積であることを示す。転写面積を小さくできるマークパターン転写の方がスペースパターン転写より好ましいことは上述した通りである。
【００４７】
＜実施の形態４＞
図６は本発明に係る媒体信号処理装置の概略図である。媒体信号処理装置において、媒体（両面垂直磁気記録媒体）１は回転軸５に固定され、スピンドルモータ６により回転駆動される。媒体１の両面に対応してスライダ磁気ヘッド７ａ、７ｂが各々配置され、媒体１の両面に形成された第１磁性膜１１、第２磁性膜１２（図１参照）における磁化を書込み、又は読み出す。シーク機構８はスライダ磁気ヘッド７ａ、７ｂの媒体１の表面における位置を制御する。スライダ磁気ヘッド７ａ、７ｂの各々には書込みヘッド及び読出しヘッド（不図示）が備えられる。書込みヘッドには書込み回路９ｗ、読出しヘッドには読出し回路９ｒが接続され各々信号書込み手段、信号読出し手段を構成する。
【００４８】
書込み信号線Ｌｗａは書込み回路９ｗとスライダ磁気ヘッド７ａにおける書込みヘッドとを接続し、書込み信号線Ｌｗｂは書込み回路９ｗとスライダ磁気ヘッド７ｂにおける書込みヘッドとを接続する。書込み信号が書込み回路９ｗから書込み信号線Ｌｗａ、Ｌｗｂを介して各書込みヘッドへ送出され、媒体１（第１磁性膜１１、第２磁性膜１２）への信号の書込みを行う。読出し信号線Ｌｒａは読出し回路９ｒとスライダ磁気ヘッド７ａにおける読出しヘッドとを接続し、読出し信号線Ｌｒｂは読出し回路９ｒとスライダ磁気ヘッド７ｂにおける読出しヘッドとを接続する。読出し信号が各読出しヘッドから読出し信号線Ｌｒａ、Ｌｒｂを介して読出し回路９ｒへ送出され、媒体１（第１磁性膜１１、第２磁性膜１２）からの信号の読出しを行う。
【００４９】
媒体１の両面（第１磁性膜１１、第２磁性膜１２）における信号（マーク）の磁化方向は、実施の形態１（図１）等において説明したように外部から表面を見て相互に異なる。したがって、書込み信号線Ｌｗａ、Ｌｗｂの内いずれか一方、例えば書込み信号線Ｌｗｂに極性反転回路４ｗを接続することにより、書込み信号線Ｌｗｂを介して媒体１（第２磁性膜１２）へ書込むマーク（書込み信号）の極性を反転して、書込み信号線Ｌｗａを介して媒体１（第１磁性膜１１）へ書込むマーク（書込み信号）の極性と整合させる。また、読出し信号線Ｌｒａ、Ｌｒｂの内いずれか一方、例えば読出し信号線Ｌｒｂに極性反転回路４ｒを接続することにより、読出し信号線Ｌｒｂを介して媒体１（第２磁性膜１２）から読出すマーク（読出し信号）の極性を反転して、読出し信号線Ｌｒａを介して媒体１（第１磁性膜１１）から読出すマーク（読出し信号）の極性と整合させる。このように外部から見て異なる極性を有する媒体１の両面における信号を同一の極性に変換することにより、書込み回路９ｗ、読出し回路９ｒにおける信号処理を共通化でき、容易に信号の書込み、読出しをすることができる。なお、極性反転回路４は、媒体１の下側の面（第２磁性膜１２）に対応する書込み信号線Ｌｗｂ、読出し信号線Ｌｒｂに設けたが、媒体１の上側の面（第１磁性膜１１）に対応する書込み信号線Ｌｗａ、読出し信号線Ｌｒａに設けても良い。つまり、媒体１における両面の極性を各々一致して検出できればいずれの面に対応させても良い。なお、媒体信号処理装置は信号書込み手段、信号読出し手段のいずれか一方のみを備えるものであっても良い。また、媒体１を複数枚備えた媒体信号処理装置の場合にも同様に極性反転回路を接続できることは言うまでも無い。
【図面の簡単な説明】
【００５０】
【図１】本発明に係る媒体初期化方法及び磁化状況を示す説明図である。
【図２】本発明に係る媒体初期化方法を示す説明図である。
【図３】本発明に係る媒体信号転写方法を示す説明図である。
【図４】図３の媒体信号転写方法と比較するための他の媒体信号転写方法を示す説明図である。
【図５】本発明を適用した磁気ディスクにおけるシリンダ番号転写状況を示す説明図である。
【図６】本発明に係る媒体信号処理装置の概略図である。
【図７】従来の媒体の磁化状況を示す説明図である。
【図８】従来の媒体の初期化方法を示す説明図である。
【符号の説明】
【００５１】
１  媒体
３  シリンダ番号パターン
４ｒ、４ｗ  極性反転回路
７ａ、７ｂ  スライダ磁気ヘッド
９ｒ  読出し回路
９ｗ  書込み回路
１０  基板
１１  第１磁性膜
１２  第２磁性膜
２１  第１マスタ媒体
２２  第２マスタ媒体
２１ｍ、２２ｍ  転写用磁性体領域
Ｈ１、Ｈ２  表面磁化方向
Ｈ１ｉ、Ｈ２ｉ  初期化磁化
Ｈ１ｍ、Ｈ２ｍ  マーク磁化
Ｈｉ  初期化磁界
Ｈｍ  転写用磁界
Ｈｍ２１、Ｈｍ２２  転写用磁性体磁化
ＮＰ  Ｎ極部
ＳＰ  Ｓ極部
【図１】
2006024362.tif 000003
【図２】
2006024362.tif 000004
【図３】
2006024362.tif 000005
【図４】
2006024362.tif 000006
【図５】
2006024362.tif 000007
【図６】
2006024362.tif 000008
【図７】
2006024362.tif 000009
【図８】
2006024362.tif 000010
【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
両面垂直磁気記録媒体の基板の表面に各々形成された第１磁性膜及び第２磁性膜へ信号を書込む信号書込み手段と、前記第１磁性膜及び第２磁性膜の信号を読出す信号読出し手段との内少なくとも一方の手段を備える磁気記録媒体信号処理装置において、
前記第１磁性膜及び第２磁性膜における初期化磁化の方向は基板の表面と交差する方向において同一にしてあり、
前記信号書込み手段は前記第１磁性膜への書込み信号及び第２磁性膜への書込み信号の内いずれか一方の書込み信号の極性を反転させる極性反転回路を備え、前記信号読出し手段は前記第１磁性膜からの読出し信号及び第２磁性膜からの読出し信号の内いずれか一方の読出し信号の極性を反転させる極性反転回路を備えることを特徴とする磁気記録媒体信号処理装置。
【手続補正３】
【補正対象書類名】明細書
【補正対象項目名】０００１
【補正方法】変更
【補正の内容】
【０００１】
本発明は、磁気記録媒体信号処理装置に関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明は斯かる事情に鑑みてなされたものであり、その目的とするところは、基板の両表面に形成された磁性膜における初期化磁化の方向を基板の表面と交差する方向において同一にしてある両面垂直磁気記録媒体へ容易に信号を書込むことができ、また容易に信号を読出すことができる磁気記録媒体信号処理装置を提供することにある。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
第１発明に係る磁気記録媒体信号処理装置は、両面垂直磁気記録媒体の基板の表面に各々形成された第１磁性膜及び第２磁性膜へ信号を書込む信号書込み手段と、前記第１磁性膜及び第２磁性膜の信号を読出す信号読出し手段との内少なくとも一方の手段を備える磁気記録媒体信号処理装置において、前記第１磁性膜及び第２磁性膜における初期化磁化の方向は基板の表面と交差する方向において同一にしてあり、前記信号書込み手段は前記第１磁性膜への書込み信号及び第２磁性膜への書込み信号の内いずれか一方の書込み信号の極性を反転させる極性反転回路を備え、前記信号読出し手段は前記第１磁性膜からの読出し信号及び第２磁性膜からの読出し信号の内いずれか一方の読出し信号の極性を反転させる極性反転回路を備えることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】変更
【補正の内容】
【００２４】
第１発明においては、信号読出し手段は第１磁性膜及び第２磁性膜から読み出した信号の内いずれか一方の信号の極性を反転させる極性反転回路を備え、信号書込み手段は第１磁性膜及び第２磁性膜への書込み信号の内いずれか一方の書込み信号の極性を反転させる極性反転回路を備えることとしたので、第１磁性膜及び第２磁性膜における初期化磁化の方向を基板と交差する方向において同一にしてある両面垂直磁気記録媒体の信号の書込み、読み出しが簡単かつ正確にできる。
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】変更
【補正の内容】
【００２６】
第１発明にあっては、基板の両面に形成された第１磁性膜及び第２磁性膜を備える両面垂直磁気記録媒体の信号磁化を処理する磁気記録媒体信号処理装置において、信号書込み手段、信号読出し手段のいずれにおいても第１磁性膜の信号及び第２磁性膜の信号の内いずれか一方の信号の極性を反転できる極性反転回路を備えることとするので、信号磁化の方向を媒体の垂直方向において同一にした媒体に対する信号の書込み又は読み出しが簡単かつ正確にできる。
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】